(57)【要約】その記録についてのカット速度を検査する工程を有するそのディジタル・ビデオ記録についてのチャプタ境界を選択する方法を備える。デフォールト・チャプタ長を経過したか否かの判定が行われる。デフォールト・チャプタ長での記録についてのカット速度が低いか否かの判定が行われる。チャプタ境界が、デフォールト・チャプタ長での記録についてのカット速度が低い場合にデフォールト・チャプタ長で選択される。【特許請求の範囲】
【請求項１】
先行選択情報をユーザに向けて備える方法であって：
考えられる選択のリストを、該ユーザから受信される選択要求に基づいて生成する工程；
選択履歴テーブルをアクセスして該ユーザによる先行選択を識別する工程；
該考えられる選択のリストにおける選択が先行選択に一致するかを判定する工程；及び
該考えられる選択のリストにおける選択が先行選択に一致するという判定が行われた場合に該ユーザに通知する工程；
を備えることを特徴とする方法。
【請求項２】
請求項1記載の方法であって、該考えられる選択のリストにおける選択が先行選択に一致するという判定が行われた場合に該ユーザに通知する工程が：
該先行選択を肯定的に識別する工程；
を備えることを特徴とする方法。
【請求項３】
請求項1記載の方法であって、該考えられる選択のリストにおける選択が先行選択に一致するという判定が行われた場合に該ユーザに通知する工程が：
該先行選択を該考えられる選択のリストから取り除く工程；
を備えることを特徴とする方法。
【請求項４】
請求項1記載の方法であって、該考えられる選択のリストにおける選択が先行選択に一致するという判定が行われた場合に該ユーザに通知する工程が：
該考えられる選択のリストを再優先順位付けする工程；
を備えることを特徴とする方法。
【請求項５】
請求項1記載の方法であって、更に：
ユーザ選択を該考えられる選択のリストに基づいて受信する工程；及び
該ユーザ選択に基づいた選択情報を該選択履歴テーブルに記憶させる工程；
を備えることを特徴とする方法。
【請求項６】
請求項1記載の方法であって、該選択履歴テーブルが：
複数ユーザによる先行選択を識別するよう処理可能な合成選択履歴テーブル；
を備えることを特徴とする方法。
【請求項７】
先行選択情報をユーザに備えるシステムであって：
該ユーザによる先行選択に関する情報を記憶するよう処理可能な選択履歴テーブル；及び
該選択履歴テーブルをアクセスして、該ユーザによる先行選択を識別して該ユーザに該先行選択を通知するよう動作可能な先行選択表示器；
を備えることを特徴とするシステム。
【請求項８】
請求項7記載のシステムであって、該選択履歴テーブルが：
複数の先行選択識別子；
を備えることを特徴とするシステム。
【請求項９】
請求項8記載のシステムであって、該選択履歴テーブルが、更に：
複数のユーザ識別子；
を備え；
該先行選択識別子の各々が、該ユーザ識別子のうちで相当するものを有することを特徴とするシステム。
【請求項１０】
請求項7記載のシステムであって：
該選択履歴テーブルが、遠隔プロバイダとユーザ機器とのうちの１つにおいて備えられることを特徴とするシステム。
【請求項１１】
請求項7記載のシステムであって、該選択履歴テーブルが：
複数ユーザによる先行選択に関する情報を記憶させるよう処理可能な合成選択履歴テーブルを備えることを特徴とするシステム。
【請求項１２】
請求項7記載のシステムであって：
該先行選択表示器が該ユーザに該先行選択を、該先行選択を肯定的に識別することによって通知するよう動作可能であることを特徴とするシステム。
【請求項１３】
請求項7記載のシステムであって：
該先行選択表示器が該ユーザに該先行選択を、該考えられる選択を考えられる選択リストから取り除くことによって通知するよう動作可能であることを特徴とするシステム。
【請求項１４】
請求項7記載のシステムであって：
該先行選択表示器が該ユーザに該先行選択を、該考えられる選択リストを再優先順位付けすることによって通知するよう動作可能であることを特徴とするシステム。
【請求項１５】
先行選択情報をユーザに向けて備えるシステムであって：
コンピュータ処理可能媒体；及び
該コンピュータ処理可能媒体上に記憶される論理；
を備え；
該論理が、考えられる選択のリストを、該ユーザから受信される選択要求に基づいて生成する工程；
選択履歴テーブルをアクセスして該ユーザによる先行選択を識別する工程；
該考えられる選択のリストにおける選択が先行選択に一致するかを判定する工程；及び
該考えられる選択のリストにおける選択が先行選択に一致するという判定が行われた場合に該ユーザに通知する工程；
を行うよう処理可能であることを特徴とするシステム。
【請求項１６】
請求項15記載のシステムであって：
該論理が、該考えられる選択のリストにおける選択が先行選択に一致するという判定が該先行選択を肯定的に識別することによって行われた場合に該ユーザに通知するよう処理可能であることを特徴とするシステム。
【請求項１７】
請求項15記載のシステムであって：
該論理が、該考えられる選択のリストにおける選択が先行選択に一致するという判定が該先行選択を該考えられる選択のリストから取り除くことによって行われた場合に該ユーザに通知するよう処理可能であることを特徴とするシステム。
【請求項１８】
請求項15記載のシステムであって：
該論理が、該考えられる選択のリストにおける選択が先行選択に一致するという判定が該考えられる選択のリストを再優先順位付けすることによって行われた場合に該ユーザに通知するよう処理可能であることを特徴とするシステム。
【請求項１９】
請求項15記載のシステムであって、該論理が、更に：
ユーザ選択を該考えられる選択のリストに基づいて受信する工程；及び
該ユーザ選択に基づいた選択情報を該選択履歴テーブルに記憶させる工程；
を行うよう処理可能であることを特徴とするシステム。
【請求項２０】
請求項15記載のシステムであって、該選択履歴テーブルが：
複数ユーザによる先行選択を識別するよう処理可能な合成選択履歴テーブル；
を備えることを特徴とするシステム。
【発明の詳細な説明】
【技術分野】
【０００１】
本発明は、一般的に、ディジタル・ビデオ処理に関し、特に、ディジタル・ビデオ記録についてのチャプタ境界を選択する方法及びシステムに関する。
【背景技術】
【０００２】
DVD+RW技術などのディジタル・ビデオ記録技術は急速に進展しており、そのピクチャ品質並びにオーディオ品質及び操作性によってビデオ記録の市場の大きな部分を獲得している。これらのビデオ記録に関する操作性の一例は、記録のナビゲーションに関する。現行のディジタル・ビデオ記録技術は、ビデオ記録をチャプタと呼ぶセグメントに分割するので、ユーザは、ビデオ記録中の特定の場面に即座に飛び越すことなどによって、記録中を更に容易にナビゲートし得る。
【０００３】
通常のビデオ記録は5分などの固定長のチャプタを有する。しかし、固定長チャプタを用いることによって、ビデオ記録中の不適切な瞬間で存在するチャプタ・ブレイクすなわちチャプタ境界をもたらし得る。例えば、固定長チャプタを有する映画は、重要な戦闘場面又は対話の真っ只中にチャプタ境界を有し得る。
【０００４】
更に、各チャプタは通常、ユーザ用チャプタを識別するために、相当するキーフレームを有する。よって、例えば、ユーザは該チャプタ中から得られる一連の静止画をサーチして、自らが視たいチャプタを識別し得る。現在、これらのキーフレームは自動的に選択されるか手作業で選択される。
【発明の開示】
【発明が解決しようとする課題】
【０００５】
しかし、キーフレームを自動的に選択するうえで現在利用可能な方法はショット・ブレイク検出などの手法を用いる。これによって、上記のように、高動作シーケンスにおいて存在し得るか対話中に存在し得るものなどの、高カット速度領域の中でチャプタが分割されることをもたらし得る。手作業によってキーフレームを選択する方法を用いることは、しかし、扱いにくく、人手を要する処理である。
【課題を解決するための手段】
【０００６】
本発明によれば、従来のシステム及び方法に関する欠点と問題点とを実質的に、除去するか軽減する、ディジタル・ビデオ記録についてのチャプタ境界を選択する方法及びシステムを備える。特に、チャプタ境界は、ビデオ記録中の動作場面又は対話場面が２つのチャプタに分割されないように、ビデオ記録中のカット速度に基づいて選択される。
【０００７】
本発明の一実施例によれば、ディジタル・ビデオ記録についてのチャプタ境界を選択する方法が備えられる。該方法は該記録についてのカット速度を検査する工程を有する。デフォールト・チャプタ長を経過したか否かに関する判定が行われる。デフォールト・チャプタ長での記録についてのカット速度が低いか否かに関する判定が行われる。デフォールト・チャプタ長での記録についてのカット速度が低い場合にデフォールト・チャプタ長でチャプタ境界が選択される。
【０００８】
本発明の別の実施例によれば、カット速度表示器及びチャプタ長監視器を有する、ディジタル・ビデオ記録についてのチャプタ境界を選択する境界セレクタを備える。カット速度表示器は記録についてのカット速度を検査するよう動作可能である。チャプタ長監視器はデフォールト・チャプタ長を経過したことを判定するよう動作可能である。境界セレクタは、デフォールト・チャプタ長での記録についてのカット速度が低いか否かを判定し、デフォールト・チャプタ長での記録についてのカット速度が低い場合にデフォールト・チャプタ長でのチャプタ境界を選択するよう動作可能である。
【０００９】
本発明の1つ又は複数の実施例の技術上の利点は、ディジタル・ビデオ記録についてのチャプタ境界を選択する改良方法を備えることを有する。特定の実施例では、ビデオ記録についてのカット速度は、変動について監視される。その結果、チャプタ境界はビデオ記録における低カット速度に相当するよう選択し得る。よって、ビデオ記録中の動作場面及び/又は対話場面は２つのチャプタに分割されるかわりに単一のチャプタ内に一緒に保有し得る。
【発明を実施するための最良の形態】
【００１０】
別の技術上の効果は、本明細書及び特許請求の範囲と、添付図面とから当業者には容易に明らかとなる。
【００１１】
発明の詳細な説明に入る前に、本明細書及び特許請求の範囲を通して使用されている特定の語句の定義を表すことが効果的であり得る。すなわち、「include」及び「comprise」の語、更にはそれらの派生形は限定のない包含を表し、「or」の語は、「及び/又は」を表す包含を表し、「associated  with」及び「associated  therewith」の句、更にはそれらの派生形は、有する(include)、その中に有する(be  included  within)、それと相互接続する、有する(contain)、その中に有する(be  contained  within)、それと接続する、それと結合する、それと通信可能である、協調する、インタリーブする、並置する、それに最も近い、それに結合した、有する、その特性を有する、などを表し得るものであり、「controller」の語は、少なくとも1つの動作を制御する何れかの装置、システム、又はそれらの部分を表し、そのような装置はハードウェア、ファームウェア若しくはソフトウェア、又はそれらのうちの少なくとも２つの何れかの組み合わせにおいて実施し得る。なお、何れかの特定のコントローラに関連する機能は、局所であっても遠隔であっても、集中化してもよく、分散化してもよい。特に、コントローラは、1つか複数のアプリケーション・プログラム並びに/若しくはオペレーティング・システム・プログラムを実行する1つか複数のデータ・プロセッサ及び関連する入出力装置並びにメモリを備え得る。特定の語句の定義は本明細書及び特許請求の範囲を通して備えており、当業者は、大半の場合でなくとも、多くの場合にそのような定義が、そのように定義された語句の過去、更には将来の使用に適用されることが分かるものである。
【００１２】
本発明及びその効果が更に徹底的に分かるよう、次に、添付図面に関して表す以下明細書を参照する。添付図面では、同じ参照数字は同じ部分を表す。
【００１３】
本明細書において本発明の原理を説明するのに用いる、図１乃至３と種々の実施例とは、単に例示的なものであり、本発明の範囲を限定するものとして如何なる方法においても解釈されるものでない。本発明の原理を何れかの適切に形成される境界セレクタにおいて実施し得ることは当業者には分かるものである。
【実施例】
【００１４】
図１は本発明の一実施例によってディジタル・ビデオ記録についてのチャプタ境界を選択するよう動作可能な境界セレクタ100を示す構成図である。境界セレクタ100は、カット速度表示器102、チャプタ長監視器104、及びキーフレーム抽出器106を備える。これらの構成部分は個々に示して表すが、カット速度表示器102と、チャプタ長監視器104と、キーフレーム抽出器106とのうちの何れか２つ又は全ては、単一のエンティティとして併せて本発明の範囲から逸脱することなく実施し得る。
【００１５】
カット速度表示器102は、DVD+RW又は別の適切な記録などの、ディジタル・ビデオ記録を解析して、記録についてのカット速度を判定するよう動作可能である。チャプタ長監視器104は、記録のチャプタ毎のチャプタ長を、最後のチャプタ境界からビデオにおいて経過した時間量に基づいて判定するよう動作可能である。キーフレーム抽出器106は記録のチャプタ毎にキーフレームを選択するよう動作可能である。本明細書及び特許請求の範囲の原文において用いるように、「each」は当該識別アイテムの少なくとも部分集合の全てのものを表す。
【００１６】
カット速度表示器102、チャプタ長監視器104、及びキーフレーム抽出器106のうちの何れか又は全ては、媒体において符号化される論理を備え得る。論理はプログラム・タスクを行ううえでの機能命令を備える。媒体は、論理を符号化し、活用し得る、コンピュータ・ディスク若しくは別のコンピュータ判読可能媒体、特殊用途向集積回路、フィールドにおいてプログラム可能なゲート・アレイ、ディジタル信号プロセッサ、別の適切な、専門プロセッサ若しくは汎用プロセッサ、伝送媒体又は別の適切な媒体を備える。
【００１７】
２つのチャプタ間の境界を選択するために、カット速度表示器102は、ディジタル・ビデオ記録についてのカット速度を判定し得る。一実施例によれば、カット速度表示器102は、フレーム対を比較して、カットを識別し、ビデオにおいて経過する時間量に対するそのような識別カットの数を把握することによってカット速度を判定する。よって、特定の時間におけるカット数が高いほど、カット速度が高くなる。
【００１８】
カット速度表示器102がカット速度を判定するにつれ、チャプタ長監視器104は最後のチャプタ境界からビデオにおいて経過した時間量を把握し得る。時間量が最小チャプタ長に達すると、カット速度表示器102によって判定されるカット速度は境界セレクタ100によって検査されてチャプタについての適切な境界を識別する。境界セレクタ100は時間量が最大チャプタ長に達するまでカット速度を検査し続ける場合がある。
【００１９】
一実施例によれば、最小チャプタ長とデフォールト・チャプタ長との間及び最大チャプタ長とデフォールト・チャプタ長との間に同じ時間量が存在するように、最小チャプタ長及び最大チャプタ長がデフォールト・チャプタ長からほぼ同じ時間量だけ離れている場合がある。しかし、最小チャプタ長及び最大チャプタ長を本発明の範囲から逸脱することなく、別の方法で規定し得ることは分かるものである。最小チャプタ長と最大チャプタ長との間の時間量は、境界セレクタ100によって選択される境界がその境界選択時間フレーム中のどこであってもよいようなその境界選択時間フレームを備え得る。
【００２０】
一例の場合、最小チャプタ長は４分であり得るものであり、デフォールト・チャプタ長は5分であり得るものであり、最大チャプタ長は6分であり得る。この例の場合、境界セレクタ100は、チャプタ長監視器104によって判定されるように、最後のチャプタ境界からおおよそ4分が経過してからカット速度表示器102によって判定されるカット速度を検査し始める。境界セレクタ100はおおよそ5分が経過するまでカット速度を検査し続ける。
【００２１】
カット速度が、この例ではデフォールト・チャプタ長である、おおよそ5分で低い場合、境界セレクタ100はおおよそ5分でチャプタ境界を選択する。しかし、カット速度がおおよそ5分で高い場合、境界セレクタ100はおおよそ6分が経過するまでカット速度を検査し続ける。
【００２２】
本明細書及び特許請求の範囲原文記載において、「low」はカット速度が所定値未満であることを表す一方、「high」はカット速度が所定値以上であることを表す。一実施例によれば、所定値はおおよそ0.25カット/秒を備える。しかし、所定値は何れかの適切な毎秒のカット数を本発明の範囲から逸脱することなく備え得ることが分かるものである。
【００２３】
カット速度がおおよそ5分で高い場合、境界セレクタ100は低カット速度を有する2分の境界選択時間フレーム中の何れかの時点でチャプタ境界を選択し得る。一実施例では、境界セレクタ100はカット速度が低いデフォールト・チャプタ長に時間的に最も近い時点を選択する。この実施例について、カット速度がデフォールト・チャプタ長から同じ時間量のデフォールト・チャプタ長に先行する時点と該デフォールト・チャプタ長に後続する時点とで低い場合、境界セレクタ100は当該境界について該先行時点と該後続時点とのうちの特定の１つを選択するよう構成し得る。
【００２４】
一実施例では、境界セレクタ100が2つのチャプタ間のチャプタ境界を選択すると、キーフレーム抽出器106がチャプタ境界に後続するチャプタについてのキーフレームを選択する。しかし、キーフレーム抽出器106は、この時点でのチャプタ境界に先行するチャプタについてのキーフレームを選択し得る。
【００２５】
一実施例によれば、チャプタが高カット速度領域を備える場合、キーフレーム抽出器106は高カット速度領域中からキーフレームを選択する。しかし、キーフレーム抽出器106は、何れかの適切な方法を用いてチャプタについてのキーフレームを本発明の範囲から逸脱することなく選択し得る。
【００２６】
図２は本発明の一実施例によって境界セレクタ100によって選択された境界204を有するチャプタ200、202の例を示す構成図である。この例の場合、図１に関する上記例によって、5分のデフォールト・チャプタ長の直前と直後とに比較的高いカット速度領域206が存在する。この領域206は、記録に先行する領域と記録に後続する領域とについてのカット速度と比較して高い。
【００２７】
よって、境界204は、高カット速度領域206が単一のチャプタ202内に収まるように5分のデフォールト・チャプタ長に先行するように選択される。よって、高カット速度領域206は境界204によって分割されるものでない。更に、第２チャプタ202についてのキーフレーム208が、そのチャプタ202の初めでの高カット速度領域206中からキーフレーム抽出器106によって選択される。
【００２８】
図3は、本発明の一実施例によって、境界セレクタ100を用いてディジタル・ビデオ記録についてのチャプタ境界を選択する方法を示す流れ図である。当該方法は工程300から開始され、工程300では、カット速度表示器102がディジタル・ビデオ記録についてのカット速度を判定する。工程302では、チャプタ長監視器104は最後のチャプタ境界からビデオにおいて経過した時間量を把握する。
【００２９】
判定工程304では、最小チャプタ長を経過したか否かに関する判定が行われる。最小チャプタ長が経過した場合、当該方法は「はい」の分岐を判定工程304から工程306までたどる。工程306では、境界セレクタ100がカット速度表示器102によって判定されるカット速度を検査し始める。
【００３０】
判定工程308では、デフォールト・チャプタ長を経過したか否かに関する判定が行われる。デフォールト・チャプタ長を経過した場合、当該方法は「はい」分岐を判定工程308から判定工程310までたどる。
【００３１】
判定工程310では、カット速度が、デフォールト・チャプタ長に相当する時点でカット速度が低いか否かに関する判定が行われる。カット速度が低い場合、当該方法は「はい」分岐を判定工程310から工程312までたどる。工程312では、境界セレクタ100はデフォールト・チャプタ長に相当する時点でチャプタ境界を選択する。
【００３２】
判定工程310を参照すれば、カット速度がデフォールト・チャプタ長に相当する時点で高い場合、当該方法は「いいえ」分岐を判定工程310から工程314までたどる。工程314では、境界セレクタ100はカット速度を検査し続ける。
【００３３】
判定工程316では、最大チャプタ長を経過したか否かに関する判定が行われる。最大チャプタ長を経過した場合、当該方法は「はい」分岐を判定工程316から工程318までたどる。工程318では、境界セレクタ100は低カット速度を有する、境界選択時間フレーム中の何れかの時点でのチャプタ境界を選択する。工程312及び318から、当該方法は工程320に進む。
【００３４】
工程320では、キーフレーム抽出器106は、選択チャプタ境界に接している、チャプタのうちの１つについてのキーフレームをカット速度に基づいて選択し、この時点で当該方法は終了する。よって、キーフレーム抽出器106は、チャプタ境界に後続するチャプタ又はチャプタ境界に先行するチャプタについてのキーフレームを選択し得る。上記のように、一実施例の場合、キーフレームは、チャプタ内部の高カット速度領域から選択し得る。
【００３５】
判定工程304に戻れば、最小チャプタ長を経過していない場合、当該方法は「いいえ」の分岐をたどり、最小チャプタ長を経過するまで判定工程304に留まる。
【００３６】
判定工程308に戻れば、デフォールト・チャプタ長を経過していない場合、当該方法は「いいえ」の分岐をたどり、デフォールト・チャプタ長を経過するまで判定工程308に留まる。
【００３７】
判定工程316に戻れば、最大チャプタ長を経過していない場合、当該方法は「いいえ」の分岐をたどり、最大チャプタ長を経過するまで判定工程316に留まる。
【００３８】
本発明はいくつかの実施例によって説明したが、種々の変更及び修正を当業者に示唆し得る。本発明は、そのような変更及び修正を本特許請求の範囲記載の範囲内に収まるよう包含することが意図されている。
【図面の簡単な説明】
【００３９】
【図１】本発明の一実施例によってディジタル・ビデオ記録についてのチャプタ境界を選択するよう動作可能な境界セレクタを示す構成図である。
【図２】本発明の一実施例によって図１の境界セレクタによって選択された境界を有するチャプタの例を示す構成図である。
【図３】本発明の一実施例によって図１の境界セレクタを用いてディジタル・ビデオ記録についてのチャプタ境界を選択する方法を示す流れ図である。
【図１】
2006505885.tif 000002
【図２】
2006505885.tif 000003
【図３】
2006505885.tif 000004
【手続補正書】
【提出日】平成17年5月31日(2005.5.31)
【手続補正１】
【補正対象書類名】特許請求の範囲
【補正対象項目名】全文
【補正方法】変更
【補正の内容】
【特許請求の範囲】
【請求項１】
ディジタル・ビデオ記録についてのチャプタ境界を選択する方法であって：
該記録についてのカット速度を検査する工程；
デフォールト・チャプタ長を経過したことを判定する工程；
該デフォールト・チャプタ長での該記録についての該カット速度が低いか否かを判定する工程；及び
該デフォールト・チャプタ長での該記録についての該カット速度が低い場合に該デフォールト・チャプタ長での該チャプタ境界を選択する工程；
を備えることを特徴とする方法。
【請求項２】
請求項1記載の方法であって、更に：
最小チャプタ長を経過したか否かを判定する工程；
を備え；
該記録についてのカット速度を検査する工程が：
該カット速度を、該最小チャプタ長を経過した場合に検査し始める工程；
を備えることを特徴とする方法。
【請求項３】
請求項1記載方法であって、更に：
該記録についてのカット速度を、該デフォールト・チャプタ長での該記録についての前記カット速度が高い場合に検査し続ける工程；
を備えることを特徴とする方法。
【請求項４】
請求項3記載方法であって、更に：
最大チャプタ長を経過したか否かを判定する工程；
を備え；
最小チャプタ長と該最大チャプタ長とが境界選択時間フレームを規定し；
更に、該境界選択時間フレーム内部で該チャプタ境界を選択する工程；
を備え；
該チャプタ境界が一チャプタ長に相当し；
該一チャプタ長では、該記録についての該カット速度が低いことを特徴とする方法。
【請求項５】
請求項4記載方法であって、該境界選択時間フレーム内部で該チャプタ境界を選択する工程が：
該デフォールト・チャプタ長に最も近いチャプタ長に相当する該チャプタ境界を選択する工程；
を備えることを特徴とする方法。
【請求項６】
請求項1記載方法であって、更に：
該記録についての前記カット速度に基づいて該チャプタ境界に後続するチャプタについてのキーフレームを選択する工程；
を備えることを特徴とする方法。
【請求項７】
請求項1記載方法であって、更に：
該記録についての前記カット速度に基づいて該チャプタ境界に先行するチャプタについてのキーフレームを選択する工程；
を備えることを特徴とする方法。
【請求項８】
ディジタル・ビデオ記録についてのチャプタ境界を選択する境界セレクタであって：
該記録についてのカット速度を検査するよう動作可能なカット速度表示器；及び
デフォールト・チャプタ長を経過したことを判定するよう動作可能なチャプタ長監視器；
を備え；
該デフォールト・チャプタ長での該記録についての該カット速度が低いか否かを判定し、かつ該デフォールト・チャプタ長での該記録についての該カット速度が低い場合に、該デフォールト・チャプタ長での該チャプタ境界を選択するよう動作可能であることを特徴とする境界セレクタ。
【請求項９】
請求項8記載の境界セレクタであって：
該チャプタ長監視器が更に、最小チャプタ長を経過したか否かを判定するよう動作可能であり；
該カット速度表示器が、該記録についてのカット速度を、該最小チャプタ長を経過した場合に検査し始めることによって検査するよう動作可能であることを特徴とする境界セレクタ。
【請求項１０】
請求項8記載の境界セレクタであって：
該カット速度表示器が更に、該記録についてのカット速度を、該デフォールト・チャプタ長での該記録についての該カット速度が高い場合に検査し続けるよう動作可能であることを特徴とする境界セレクタ。
【請求項１１】
請求項10記載の境界セレクタであって：
該チャプタ長監視器が更に、最大チャプタ長を経過したか否かを判定するよう動作可能であり；
最小チャプタ長と該最大チャプタ長とが境界選択時間フレームを規定し；
更に、該境界選択時間フレーム内部で該チャプタ境界を選択するよう動作可能であり；
該チャプタ境界が一チャプタ長に相当し；
該一チャプタ長では、該記録についての該カット速度が低いことを特徴とする境界セレクタ。
【請求項１２】
請求項11記載の境界セレクタであって：
該境界選択時間フレーム内部で該チャプタ境界を、該デフォールト・チャプタ長に最も近いチャプタ長に相当する該チャプタ境界を選択することによって選択するよう動作可能であることを特徴とする境界セレクタ。
【請求項１３】
請求項8記載の境界セレクタであって、更に：
該チャプタ境界に後続するチャプタについてのキーフレームを、該記録についての前記カット速度に基づいて選択するよう動作可能なキーフレーム抽出器；
を備えることを特徴とする境界セレクタ。
【請求項１４】
請求項8記載の境界セレクタであって、更に：
該チャプタ境界に先行するチャプタについてのキーフレームを、該記録についての前記カット速度に基づいて選択するよう動作可能なキーフレーム抽出器；
を備えることを特徴とする境界セレクタ。
【請求項１５】
ディジタル・ビデオ記録についてのチャプタ境界を選択するシステムであって：
コンピュータ処理可能媒体；及び
該コンピュータ処理可能媒体上に記憶される論理；
を備え；
該論理が、該記録についてのカット速度を検査する工程；
デフォールト・チャプタ長を経過したことを判定する工程；
該デフォールト・チャプタ長での該記録についての該カット速度が低いか否かを判定する工程；及び
該デフォールト・チャプタ長での該記録についての該カット速度が低い場合に該デフォールト・チャプタ長での該チャプタ境界を選択する工程；
を行うよう処理可能であることを特徴とするシステム。
【請求項１６】
請求項15記載のシステムであって、該論理が更に：
最小チャプタ長を経過したか否かを判定する工程；及び
該記録についてのカット速度を検査する工程；
を行うよう処理可能であり；
該検査する工程が：
該最小チャプタ長を経過した場合にカット速度を検査し始める工程；
を備えることを特徴とするシステム。
【請求項１７】
請求項15記載のシステムであって、該論理が更に：
該記録についての該カット速度を、該デフォールト・チャプタ長での該記録についての該カット速度が高い場合に検査し続ける工程；及び
最大チャプタ長を経過したか否かを判定する工程；
を行うよう処理可能であり；
最小チャプタ長及び該最大チャプタ長が境界選択時間フレームを規定し；
該論理は更に、該境界選択時間フレーム内部で該チャプタ境界を選択するよう処理可能であり；
該チャプタ境界が一チャプタ長に相当し；
該一チャプタ長では、該記録についての該カット速度が低いことを特徴とするシステム。
【請求項１８】
請求項17記載のシステムであって、該論理が更に：
該境界選択時間フレーム内部で該チャプタ境界を、該デフォールト・チャプタ長に最も近いチャプタ長に相当する該チャプタ境界を選択することによって選択するよう処理可能であることを特徴とするシステム。
【請求項１９】
請求項15記載のシステムであって、該論理が更に：
該チャプタ境界に後続するチャプタについてのキーフレームを、該記録についての前記カット速度に基づいて選択するよう処理可能であることを特徴とするシステム。
【請求項２０】
請求項15記載のシステムであって、該論理が更に：
該チャプタ境界に先行するチャプタについてのキーフレームを、該記録についての前記カット速度に基づいて選択するよう処理可能であることを特徴とするシステム。